(57)【要約】【課題】一般家庭の外スポーツ施設、学校、病院、保健所、運動場などで、簡単に利用できる下肢筋力測定器を提供する。【解決手段】握力計Ａのフレーム端部に脛当て部材１１を取り付けるとともに、可動握りバー６をロックベルト１２を介して外部の固定部にロックできるようにした下肢筋力測定器であって、足の持ち上げ力を脛当て部材を介して握力計で計測し筋力値として表示する。【選択図】図１
0003124888.tif 000002
【実用新案登録請求の範囲】
【請求項１】
負荷を計測表示する表示部１と、この表示部を保持するフレーム５，５’と、フレームの中間部にこのフレームに対して可動的に支持された可動握りバー６と、この握りバーに負荷された荷重を表示部内の荷重検出部へ伝達する負荷伝達機構９とからなる握力計測装置において、
前記フレーム５，５’の一端部に人体の下肢部に当接する脛当て部材１１を取り付けるとともに、前記可動握りバー６を外部の固定部にロックする部材１２を併せ備えたことを特徴とする下肢筋力測定器。
【請求項２】
前記ロック部材を、可動握りバーと椅子やベッドの脚部などの固定部との間に張り渡し得るベルト１２で構成したことを特徴とする請求項１に記載の下肢筋力測定器。
【請求項３】
前記脛当て部材１１を握力計Ａのフレーム端部１３の外側に着脱自在に取り付けることを特徴とする請求項１または２の何れかに記載の下肢筋力測定器。
【考案の詳細な説明】
【技術分野】
【０００１】
この考案は、通常手の握力を測定するのに広く使われている握力計を利用して下肢部の筋力を測定する装置を提供したもので、体力測定の１項目としてまたサッカー練習や蹴球力のトレーニングなどに際して下肢筋力の状態をチェックする場合にも簡便に利用できるものである。
【背景技術】
【０００２】
下肢の筋力を測定する装置としては、負荷をかけたペダルを足で回転させトルクに対する抗力を計測する方式のものや、椅子に腰掛けた状態で水平方向に敷設したペダルを足先で押し込みその押し込む力を計測する方式のもの（特開平３−１９５５４１）などが知られている。しかしこれらのものはかなり大掛かりな設備が必要であり、家庭やスポーツ練習場・保養所などで随時手軽に活用できるものではない。
【０００３】
また、握力計とベルトを利用して肩、肘、手首、足などの筋力を測定する装置も提案されている（特開平９−５６７０４）が、この方式はいずれも握力計の可動握りバーを、手で直接引っ張って負荷をかける代わりに、ベルトを介して肘や足の動きを握りバー伝えて負荷をかけるもので、後者の場合は握力計の本体フレームを、第三者ないし検査立会人（場合によっては本人）の助けを借りて強固に保持固定してもらい乍ら測定しなければならない外、立会人のフレームの保持力の程度によって測定値が変動するなどの問題がある。特に下肢の蹴り上げ筋力を測定する場合は本人だけでは測定が難しい。
【特許文献１】特開平３−１９５５４１  筋力測定装置
【特許文献２】特開平９−５６７０４    筋力測定装置
【考案の開示】
【考案が解決しようとする課題】
【０００４】
この考案は上記問題点に鑑み、市販の握力計を略そのまま利用して下肢の筋力を簡単且つ正確に計測できる装置を提供したもので、握力計とベルトを利用する筋力計測装置ではあるが、握力計の握りバーへの負荷の与え方について従来の発想を転換することによって、握力計を下肢に装着した状態で他人の手を借りることなく、いつでも自分自身で下肢の筋力を随時計測、チェックできるようにしたものである。
【課題を解決するための手段】
【０００５】
上記課題を解決するため、本考案では握力計のフレームの端部に下肢に当接する脛当て部材を着脱自在に取り付けるとともに、握力計の握りバー部分を、椅子やベッドにベルトなどのロック部材を介して固定した状態で、前記脛当て部材を介して握力計のフレーム部分を足の力で押し付けることにより、フレームの動きを介して間接的に握りバーに負荷を与えるように構成したものである。
【０００６】
本測定器の使用態様は、被検者が椅子などに腰かけた状態で握力計の脛当て部材を下肢部に当接させ、可動握りバーと椅子との間にベルトを張り渡して、握力計と下肢部と椅子とを一体とし、この状態で下肢部を、脛当て部材を介してロックベルトの張力に抗して持ち上げることにより、その持ち上げ荷重即ち筋力を握力計の計測器で測定できるようにする。
【考案の効果】
【０００７】
この考案は握力計を利用し、これを被検者の足元に装着するだけで他人の手を煩わす必要なく自分だけで随時簡単に下肢部の筋力を測定できるので実用的効果は極めて大きい。又体力測定や筋力トレーニングの過程で広く利用できる外、病床などにおいてベッドに据わったまま体力回復のチェックにも利用できるなど汎用性も高い。
尚、一部の部材を取り外すだけで通常の握力計としても利用できるので、健康器具としての商品価値も向上した。
【考案を実施するための最良の形態】
【０００８】
図１は本考案の１実施例を示す平面図で、１は通常の握力計の計測データ表示部で、内部にはロードセルなどの荷重を電気信号に変換する装置、信号をデジタル処理する装置およびこれらの制御回路・電源などが収容されており、その出力は表示窓２にデジタル表示される。３は電源スイッチ、４はリセットスイッチである。５、５’は表示部を保持するフレームで、その中間部に可動握りバー６およびこのバーと一体になった連結部材７、８がフレーム５、５’に対して図の左右方向可動的に装填されている。握りバー６に負荷された荷重は、部材７、８荷重伝達桿９を介して表示部１内のロードセルに伝達される。以上の構成は図４に示す通常の握力計Aの構造と特に変わる所はない。
【０００９】
即ち一般の握力計は図４でも判るように、フレーム５、５’の下端部に固定の握りバー１３が設置されており、握力測定時には固定の握りバー１３の部分に手のたなごころ部を当て指部分で可動握りバー６を矢印ａの方向へ強く引っ張ることにより、その荷重が伝達桿９を介してロードセルに伝達され、握力データとして表示窓にデジタル表示されることは周知のとおりである。尚１０はこの固定握りバー１３と可動握りバー６との間のギャップｇを調整するネジで、これを廻すことによって部材８を９に対して上下に微動させ、手の大きさに応じてギャップｇを調整する。
【００１０】
再び図１に戻って、１１は下肢筋力測定用として本考案で特に装備された脛当て部材で、図４の固定握りバー１０に代えてフレーム５、５’の端部に取り付けられる。
【００１１】
この脛当て部材１１は、図２に示すようにフレーム５、５’に接する部分１１’が硬質プラスチック、内側の脛に接する部分１１’’がウレタンフォームなど柔軟な物質で構成されており、図のように人体の下肢部にフィットするよう縦長の湾曲した形状となっている。尚、この脛当て部材はそのプラスチック部分を、ビスなどを介してフレームの端部に着脱自在に取り付けておくのが望ましい。
【００１２】
１２は可動握りバー６を外部の固定剛体部に固定するためのロックベルトで、例えば図３に示すように測定対象者が腰かけている椅子の脚部Ｂに取り付けることにより、可動握りバー６をその位置に拘束する。１２’は長さ調整用のフックリングで、測定対象者が椅子に腰かけた場合、その脛部分が略垂直になった状態で、握力計Ａが脛当て１１を介して脛に隙間なく密着するようにベルト長さを調整し、マジックテープ（登録商標）部などで固定する。
実施例装置をこのようにセットすることにより、握力計は下肢部と一体となって椅子の脚部にベルトでロックされる。
【００１３】
次に図３について、本考案による下肢筋力測定動作を説明する。
図のように握力計Ａを下肢部に当接させた状態で、測定対象者が自分の力で足をベルトの張力に抗して矢印ｂの方向へ持ち上げると、その負荷は脛当て１１を介して握力計Ａのフレーム５、５’に伝達される。この場合可動握りバー６は、前記したようにロックベルトによって椅子の固定脚Ｂにロックされた状態となっているので、フレーム５、５’が図１の矢印Ｃの方向に変位することになり、その変位量は下肢を持ち上げる力即ち下肢の筋力に対応する。
【００１４】
この変位荷重は結果的に荷重伝達桿９を介してロードセルに伝達され、握力データと同様に前記荷重値が表示窓２にデジタル表示されるので、これによって下肢筋力を計測することができる。
又、計測表示部１が自分の足の前に一体となって直前に在るので、スイッチ３，４のオンオフ操作も腰かけたままで片手でできるなど操作の利便性も高い。
【００１５】
尚図ではベルトを椅子の脚部に固定する例について説明したが、ベッドに腰かけた場合にはベッドの脚部に固定すればよく、場合によっては柱や床などに固定してもよいのは当然である。
【００１６】
実施例では、デジタル表示の握力計について説明したが指針式などアナログ表示のものでも同様に利用できるのは当然である。
（変形実施態様）
【００１７】
図１の実施例では、通常の握力計の固定握りバー１３に代えてフレーム５、５’の端部に脛当て部材１１を取り付けたが、固定握りバー１３をそのまま残し、その外側に脛当て１１を嵌め込み方式又はスライド式に着脱自在に装填するようにしてもよく、このようにすれば被検者はこれを外していつでも握力計測に簡単に転用できる、勿論ロックベルトはいつでも簡単に取外し可能である。
【００１８】
又実施例では握力計Ａの表示部が垂直面になっているが、データを水平面で見たい場合は、荷重信号だけを水平面に設置した計器盤や携帯端末に伝送表示するようにしてもよく、また表示板だけを９０度回転できるようにしておくことも可能である。
更にロックベルトをレバーなどに置き換えて、可動握り部を直接床面などにロックするようにしても同じ効果が得られる。
【産業上の利用可能性】
【００１９】
健康管理機器として、スポーツジム、保健所、学校などの外、一般家庭においても手軽に常備しておくことができるなど、健康産業への貢献も大である。
【図面の簡単な説明】
【００２０】
【図１】本考案実施例の平面図
【図２】本考案で使用する脛当て部材の斜視図
【図３】本考案実施例を用いて下肢部の筋力測定を行う場合の動作説明図
【図４】従来の握力計の平面図
【符号の説明】
【００２１】
１．    握力計の表示部
２．    筋力データ表示盤
３．    電源スイッチ
４．    リセットスイッチ
５・５’握力計のフレーム
６．    可動握りバー
７．    連結部材
８．        〃
９．    荷重伝達桿
１０．  ギャップ調整ネジ
１１．  脛当て
１２．  ロック用ベルト
１３．  固定握りバー
【図１】
0003124888.tif 000003
【図２】
0003124888.tif 000004
【図３】
0003124888.tif 000005
【図４】
0003124888.tif 000006